(57)【要約】【課題】駆動力伝達装置及びブラインド操作装置及びチェーン案内装置において、操作ノイズを低減すること。【解決手段】案内部材３７にはプーリ回転軸方向へ延びる複数のスリット５２がプーリ３８の回転方向に一定間隔を有して形成されている。このスリット５２を形成することにより、案内部材３７は変形しやすくなる。ボールチェーン４２の操作時にボール部４２ｂが案内部材３７に衝突した場合には、この衝突力により案内部材３７の各分割片が外方へわずかに弾性変形する。これによりボールチェーン４２の案内部材３７への衝突力が緩和され、衝突により発生する操作ノイズを低減することが可能となる。【選択図】図３
0003149165.tif 000002
【実用新案登録請求の範囲】
【請求項１】
回転可能に支持された回転体と、
前記回転体に巻き掛けられるボールチェーンと、
前記回転体の外周に設けられて前記ボールチェーンと接触および衝突することでこれを回動案内する案内部材と、を備えた駆動力伝達装置において、
前記案内部材に前記回転体の回転中心軸方向に延びる複数のスリットを形成した駆動力伝達装置。
【請求項２】
遮蔽材の昇降操作をするブラインド操作装置であって、
回転可能に支持されたプーリと、
前記プーリに巻き掛けられるボールチェーンと、
前記プーリの外周に設けられて前記ボールチェーンと接触及び衝突することでこれを回動案内する案内部材と、を備え、
前記ボールチェーンの操作を通じて回転する前記プーリに連動して前記遮蔽材を昇降させるブラインド操作装置において、
前記案内部材に前記プーリの回転中心軸方向に延びる複数のスリットを形成したブラインド操作装置。
【請求項３】
請求項２に記載のブラインド操作装置において、
前記案内部材は、操作者側に開口する開口部を有し、その上下２つの端部とプーリとの間にはチェーンの出入口となる上側導入出部及び下側導入出部を形成し、
前記案内部材の下側の端部には当該下側導入出部に出入りする前記遮蔽材側の前記ボールチェーンを手前側に案内するべく手前側にのびるスロープ部を設け、少なくともこのスロープ部に前記スリットを設けたブラインド操作装置。
【請求項４】
請求項３に記載のブラインド操作装置において、
前記上側導入出部を構成する前記案内部材の上側の端部にも前記スリットを設けたブラインド操作装置。
【請求項５】
請求項２〜４のいずれか一項に記載のブラインド操作装置において、
少なくとも案内部材を消音グレードのポリアセタールで形成したブラインド操作装置。
【請求項６】
収納体から導出されるチェーンと、
前記チェーンを前記収納体に引き込む引き込み手段と、
前記収納体のチェーン導出部分に設けられて当該収納部分から導出されるとき前記チェーンと接触および衝突することでこれを案内する案内部材と、を備えたチェーン案内装置において、
前記案内部材には前記チェーンの進行方向を転換する平面板部を形成し、
前記平面板部には前記チェーンの進行方向と直交する方向に延びる複数のスリットを形成したチェーン案内装置。
【考案の詳細な説明】
【技術分野】
【０００１】
この考案は、操作ノイズを低減した駆動力伝達装置及びブラインド操作装置及びチェーン案内装置に関する。
【背景技術】
【０００２】
横型ブラインドは、例えば窓上部にそのヘッドボックスが固定されて、ヘッドボックスからスクリーン（遮蔽材）が吊下支持されてなる。そして、同じくヘッドボックスに取り付けられる操作装置が操作されることでスクリーンが昇降する。くわしくは、図１０に示すように、操作装置１００のケース１３２は、ヘッドボックスの端部に固定される。この、ケース１３２内にはスクリーン１１４の幅方向へ延びる回転軸を中心として回転可能に支持されたプーリ１３８が設けられている。さらに、プーリ１３８には無端状のボールチェーン１４２が巻き掛けられて、当該ボールチェーン１４２の下部は操作部としてスクリーン１１４の厚さ方向に２本並んで設けられている。そして、プーリ１３８の外周にはプーリ１３８に噛み合ったボールチェーン１４２の回動を案内する案内部材１３６が設けられている。また、スクリーン１１４側のボールチェーン１４２がスクリーン１１４と接触することを防止するために、案内部材１３６の下端部にはボールチェーン１４２を手前側に案内するスロープ部１５１が形成されている。ボールチェーン１４２を上下に操作することで、プーリ１３８は回転し、これに連動するスクリーンの昇降機構（図示しない）を介してスクリーン１１４の昇降が行われる（例えば、特許文献１参照。）。
【特許文献１】実公平８−３３３６号公報
【特許文献２】実開平４−１２５３９７号公報（ガラス内蔵）
【特許文献３】特開２０００−１１６５０３号公報（レール駆動装置）
【特許文献４】特開２００８−１５６９４１号公報（柵柱）
【考案の開示】
【考案が解決しようとする課題】
【０００３】
ところで、上記特許文献１に記載のブラインド操作装置１００では、ボールチェーン１４２を上下操作したときには、ボールチェーン１４２は種々の原因により案内部材１３６に衝突する。衝突態様を例示すると、プーリ１３８に噛み合うボールチェーン１４２は、スロープ部１５１により手前方向に案内される際に、当該スロープ部１５１に衝突する。また、プーリ１３８の回転に伴いボールチェーン１４２は遠心力により案内部材１３６に衝突する。これらの衝突がブラインド操作装置１００の操作ノイズの発生原因となっていた。
【０００４】
なお、こうした問題は、例えば特許文献２に示される複層ガラス内蔵ブラインド等、ボールチェーンを案内する案内部材を有するブラインド全般について生じる。また、当該問題は、ブラインドに限らず、モータの駆動力をプーリ及びこれに巻回されたボールチェーンを介してカーテンレールに伝達することによりカーテンを開閉するカーテンレール駆動装置（特許文献３参照。）、あるいはチェーンを引き出し可能に収納する柵柱（特許文献４参照。）等において、チェーンを案内する案内部材を有するもの全般について発生する。
【０００５】
この考案は、こうした実情に鑑みてなされたものであり、その目的は、操作ノイズを低減した駆動力伝達装置及びブラインド操作装置及びチェーン案内装置を提供することにある。
【課題を解決するための手段】
【０００６】
以下、上記目的を達成するための手段及びその作用効果について説明する。
請求項１に記載の考案は、回転可能に支持された回転体と、前記回転体に巻き掛けられる巻掛部材と、前記回転体の外周に設けられて前記巻掛部材と接触及び衝突することでこれを回動案内する案内部材と、を備えた駆動力伝達装置において、前記案内部材に前記回転体の回転中心軸方向に延びる複数のスリットを形成したことをその要旨としている。
【０００７】
同構成によれば、巻掛部材が衝突する案内部材に回転体の回転中心軸方向へ延びる複数のスリットを形成することで、案内部材の巻掛部材が衝突する部位の変形がしやすくなる。したがって、巻掛部材の衝突に対して案内部材が変形することで、巻掛部材の衝突力が緩和される。これにより、主に衝突により発生する操作ノイズを低減することが可能となる。
【０００８】
請求項２に記載の考案は、遮蔽材の昇降操作をするブラインド操作装置であって、回転可能に支持されたプーリと、前記プーリに巻き掛けられるボールチェーンと、前記プーリの外周に設けられて前記ボールチェーンと接触及び衝突することでこれを回動案内する案内部材と、を備え、前記ボールチェーンの操作を通じて回転する前記プーリに連動して前記遮蔽材を昇降させるブラインド操作装置において、前記案内部材に前記プーリの回転中心軸方向に延びる複数のスリットを形成したことをその要旨としている。
【０００９】
同構成によれば、ボールチェーンが衝突する案内部材に前記プーリの回転中心軸方向へ延びる複数のスリットを形成することで、案内部材のボールチェーンが衝突する部位の変形がしやすくなる。したがって、ボールチェーンの衝突に対して案内部材が変形することで、ボールチェーンの衝突力が緩和される。これにより、主に衝突により発生する操作ノイズを低減することが可能となる。
【００１０】
請求項３に記載の考案は、請求項２に記載のブラインド操作装置において、前記案内部材は、操作者側に開口する開口部を有し、その上下２つの端部とプーリとの間にはチェーンの出入口となる上側導入出部及び下側導入出部を形成し、前記案内部材の下側の端部には当該下側導入出部に出入りする前記遮蔽材側の前記ボールチェーンを手前側に案内するべく手前側にのびるスロープ部を設け、少なくともこのスロープ部に前記スリットを設けたことをその要旨としている。
【００１１】
同構成によれば、ボールチェーンにおいて下側導入出部から導出される部分は遮蔽材側に、同じく上側導入出部から導出される部分は下側導入出部から導出される部分よりも手前側に位置する。そして、ボールチェーンの下側導入出部から導出される部分はスロープ部に衝突及び摺動することにより手前側に案内される。このため、ボールチェーンが遮蔽材に干渉することはない。すなわち、案内部材においてスロープ部はボールチェーンが衝突する頻度が高い。そのスロープ部にスリットを形成し変形しやすくすることで、スロープ部への衝突力が緩和される。これにより、スロープ部への衝突により発生する操作ノイズを低減することが可能となる。
【００１２】
請求項４に記載の考案は、前記上側導入出部を構成する前記案内部材の上側の端部にも前記スリットを設けたことをその要旨としている。
例えば上側導入出部に出入りするボールチェーンを僅かに下方に操作すると遮蔽材の下降が許可される。その状態で手を離した場合には、遮蔽材が下降するのに伴いプーリも回転する。これによって、上側導入出部に出入りする手前側のボールチェーンは上方に変位する。この手前側のボールチェーンは上側導入出部、すなわち案内部材の上側の端部とプーリとの間に入る際、特に手前側のボールチェーンが手前側に傾斜した状態で操作される場合には、案内部材の上側の端部に衝突する。つぎに、上側導入出部に出入りする手前側のボールチェーンを下方に操作した場合には、手前側のボールチェーンが上側導入出部から出る際にもボールチェーンは案内部材の上側の端部に衝突する。このように手前側の案内部材の端部にはボールチェーンが衝突する可能性が高い。上記構成によれば、案内部材の上側の端部にもスリットが形成されることにより、ボールチェーンが案内部材の上側の端部に衝突することにより発生する操作ノイズを低減することが可能となる。
【００１３】
請求項５に記載の考案は、請求項２〜４のいずれか一項に記載のブラインド操作装置において、少なくとも案内部材を消音グレードのポリアセタールで形成したことをその要旨としている。
【００１４】
同構成によれば、ボールチェーンが衝突する案内部材を消音性の高い消音グレードのポリアセタールで形成した。これにより、案内部材にボールチェーンが衝突したことにより発生する操作ノイズをよりいっそう低減することが可能となる。
【００１５】
請求項６に記載の考案は、収納体から導出されるチェーンと、前記チェーンを前記収納体に引き込む引き込み手段と、前記収納体のチェーン導出部分に設けられて当該収納部分から導出されるとき前記チェーンと接触および衝突することでこれを案内する案内部材と、を備えたチェーン案内装置において、前記案内部材には前記チェーンの進行方向を転換する平面板部を形成し、前記平面板部には前記チェーンの進行方向と直交する方向に延びる複数のスリットを形成したことをその要旨としている。
【００１６】
同構成によれば、例えばチェーンを引き出し可能に収納する柵柱においても案内部材にスリットを形成することで、その操作ノイズを低減することができる。
【考案の効果】
【００１７】
本考案によれば、駆動力伝達装置及びブラインド操作装置及びチェーン案内装置において、操作ノイズを低減することができる。
【考案を実施するための最良の形態】
【００１８】
（第１の実施形態）
以下、本考案にかかるブラインド操作装置（駆動力伝達装置）をプリーツスクリーンの操作装置に具体化した一実施形態について図１〜図４を参照して説明する。プリーツスクリーンは、蛇腹状のスクリーンを昇降させるブラインドである。
【００１９】
図１に示すように、ブラインド１０は、ブラケット１１によって窓枠等に固定されるヘッドボックス１２から複数の襞が上下方向に連続して形成される遮蔽材としてのスクリーン１４が昇降可能に吊り下げられてなる。そして、スクリーン１４の下端にはボトムレール１６が設けられている。ヘッドボックス１２からは複数の昇降コード１８が垂下されており、昇降コード１８の下端はボトムレール１６に取り付けられている。また、昇降コード１８の上端はヘッドボックス１２の内部に導入されて、ヘッドボックス１２内に配設された図示しない巻取ドラムに巻取り及び巻解き可能に取り付けられている。ヘッドボックス１２の内部において、前記巻取ドラムには、回転駆動軸２２が一体回転可能に連結されて、ヘッドボックス１２の一端に設けられたブラインド操作装置３０が作動連結されている。ブラインド操作装置３０のケース３２から垂下されるボールチェーン４２の操作を通じてスクリーン１４が昇降する。
【００２０】
次にブラインド操作装置３０について図２〜図４を参照しつつ説明する。
図２に示すように、ケース３２は第１ケース３４と第２ケース３６とが組み合せられてなる。第１ケース３４及び第２ケース３６は、例えばナイロン樹脂により形成されている。第１ケース３４に第２ケース３６を嵌め合わせた状態で、第２ケース３６の貫通孔５３に外方からネジ５４を挿入して第１ケース３４の内面に形成されたボス部５５に締め付けることで両ケース３４、３６は一体となる。第１ケース３４のボス部５５には、プーリ３８が回転可能に支持されている。プーリ３８の外周面には複数の凹部３８ａが、その回転方向において一定間隔に設けられている。また、プーリ３８の第１ケース３４側の側面には駆動歯車３５が一体形成されている。この駆動歯車３５は回転駆動軸２２に連結された従動歯車４０に噛合している。ここで、ケース３２はヘッドボックス１２内に設けられる回転駆動軸２２が従動歯車４０に連結されて、ヘッドボックス１２の右端に設けられる。したがって、プーリ３８の回転力は、駆動歯車３５及び従動歯車４０を介して回転駆動軸２２に伝達される。プーリ３８には図３に示すように無端状のボールチェーン４２が巻き掛けられる。具体的には、ボールチェーン４２の紐部４２ａには複数のボール部４２ｂが所定間隔毎に形成されていて、これらボール部４２ｂはプーリ３８の複数の凹部３８ａに嵌合される。ボールチェーン４２の操作力はボール部４２ｂと凹部３８ａとの係合関係により、確実にプーリ３８に伝達される。
【００２１】
図３に示すように、第２ケース３６の第１ケース３４側の側面には、プーリ３８の外周を囲む案内部材３７が設けられてなる。くわしくは、この案内部材３７は、図３における左下方、換言するとブラインド１０の操作者側に開口する断面円弧状に形成されている。案内部材３７の下端にはプーリ３８に巻き掛けられたボールチェーン４２を手前下方向に案内するスロープ部５１が形成されている。スロープ部５１は操作者側の斜め下方へ曲面状に延びている。第１ケース３４が第２ケース３６に組み付けられた状態においては、案内部材３７の内周面とプーリ３８の外周面との間には所定の隙間が形成される。そして、凹部３８ａに嵌合したボール部４２ｂは、案内部材３７の内周面により案内される。第１ケース３４と第２ケース３６とが組み付けられた状態において案内部材３７の開口部３９はケース３２の外部に露出する。プーリ３８に巻き掛けられたボールチェーン４２は開口部３９を介して下方へ導出される。
【００２２】
すなわち、案内部材３７の上端部３７ｕ及びプーリ３８間には第１導入出部４１が形成され、スロープ部５１及びプーリ３８間には第２導入出部４３が形成される。そして、第１導入出部４１及び第２導入出部４３を介してプーリ３８に巻き掛けられているボールチェーン４２が下方へ引き出されている。このボールチェーン４２において、第１導入出部４１から引き出され手前側の部分は第１操作部４２ｉ、第２導入出部４３から引き出されるスクリーン側の部分は第２操作部４２ｎとされる。第２操作部４２ｎは、前述したスロープ部５１により手前側に導かれるためスクリーン１４と干渉することはない。
【００２３】
ここで、例えば第１操作部４２ｉを下方に僅かに操作するとストッパー装置２０によるロック状態が解除され、昇降コード１８の昇降、正確には回転駆動軸２２の回動が許可される。この状態において、ボールチェーン４２から手を離すとボトムレール１６の自重により、蛇腹状のスクリーン１４が展開しつつ下降する。これに伴い回転駆動軸２２ひいてはプーリ３８が回転し、このプーリ３８に噛み合っていたボールチェーン４２は第２導入出部４３を介して下方へ引き出される。また、第１操作部４２ｉは第１導入出部４１を介してケース３２内に引き込まれる。このとき、ボールチェーン４２はプーリ３８を回転させつつ案内部材３７の内周面に沿って回転する。また、第１操作部４２ｉを下方に操作したときには、ボールチェーン４２は第２導入出部４３から引き込まれ、第１導入出部４１から引き出される。
【００２４】
なお、第１操作部４２ｉ及び第２操作部４２ｎはボールチェーン４２において常に一定区間をさすものではなく、操作により第１操作部４２ｉ及び第２操作部４２ｎを構成するボールチェーン４２の区間は変わる。すなわち、ボールチェーン４２において第１導入出部４１、第２導入出部４３から導出された部分が第１操作部４２ｉ、第２操作部４２ｎとなる。
【００２５】
また、図４（ａ）、（ｂ）に示すように、第２ケース３６の案内部材３７にはプーリ３８の回転軸方向へ延びる複数のスリット５２がプーリ３８の回転方向に一定間隔を有して形成されている。このスリット５２を形成することにより、案内部材３７は変形しやすくなる。ボールチェーン４２の操作時にボール部４２ｂが案内部材３７に衝突した場合には、この衝突力により案内部材３７の各分割片が外方へわずかに弾性変形する。これによりボールチェーン４２の案内部材３７への衝突力が緩和される。
【００２６】
次に、操作時におけるブラインド操作装置３０の動作について説明する。
ブラインド操作装置３０において、図３に示すように、第１操作部４２ｉが下方に操作されると、プーリ３８は、ボールチェーン４２を第２操作部４２ｎ側から第１操作部４２ｉ側に送るα方向に回転する。当該回転力は駆動歯車３５を介して従動歯車４０に伝達され、従動歯車４０はα方向と反対方向のβ方向へ回転する。すると、従動歯車４０に軸連結される回転駆動軸２２もβ方向へ回転し、この回転駆動軸２２に作動連結される巻取ドラムは昇降コード１８を巻き取る方向へ回転する。この巻取ドラムの回転に伴い、昇降コード１８の下端部に連結されるボトムレール１６が上方に移動する。これにより、スクリーン１４は折り畳まれつつ上昇する。所望の高さで手を離すと、ストッパー装置２０が作動し、スクリーン１４は所望の高さに保持される。次にスクリーン１４を下降させる際には、第１作部４２ｉ下方に僅かに操作するとストッパー装置２０によるロック状態が解除され、昇降コード１８の昇降、正確には回転駆動軸２２の回動が許可される。この状態において、ボールチェーンから手を離すとボトムレール１６の自重により蛇腹状のスクリーン１４が展開しつつ下降する。これに伴い回転駆動軸２２ひいてはプーリ３８が回転し、プーリ３８はβ方向に回転し、回転駆動軸２２はα方向に回転する。すると巻取ドラムは昇降コード１８を繰り出す方向へ回転し、ボトムレール１６は下方へ移動する。これにより、折り畳まれたスクリーン１４は展開しつつ下降する。
【００２７】
次にブラインド操作装置３０の操作時に生じる操作ノイズについて説明する。第１操作部４２ｉが下方に操作されると、プーリ３８はα方向に回転して、第２操作部４２ｎは第２導入出部４３に引き込まれる。このときにスロープ部５１が下方手前側への傾斜をもって延びているために、ボールチェーン４２のボール部４２ｂとスロープ部５１の特に先端付近とが衝突する。この衝突により衝突音が発生する。
【００２８】
またこのとき、プーリ３８に噛み合っているボールチェーン４２は、第１導入出部４１を介してケース３２の外部に繰り出される。ここで特に、図３に２点鎖線で示されるように、第１操作部４２ｉが手前側に引かれて傾斜した状態で下方に操作された場合には、第１導入出部４１から出る際、ボール部４２ｂの上部は案内部材３７の上端部３７ｕに衝突する。この衝突によっても衝突音が発生する。
【００２９】
さらに、第１操作部４２ｉが早い速度で下方に操作されると、プーリ３８に噛み合っていたボールチェーン４２のボール部４２ｂが遠心力によりプーリ３８の径方向にわずかに変位する。この際、ボール部４２ｂが案内部材３７の内周面に衝突することで、衝突音が発生する。これらの衝突音が複合して第１操作部４２ｉの操作時における、ブラインド操作装置３０の操作ノイズとなる。
【００３０】
一方、第１作部４２ｉを僅かに下方に操作すると、ストッパー装置２０によるロック状態が解除され、昇降コード１８の昇降、正確には回転駆動軸２２の回動が許可される。この状態において、ボールチェーンから手を離すとボトムレール１６の自重により蛇腹状のスクリーン１４が展開しつつ下降する。これに伴い回転駆動軸２２ひいてはプーリ３８はβ方向に回転して、第１操作部４２ｉは第１導入出部４１に引き込まれる。このとき、例えば第１操作部４２ｉに操作者の手が触れた場合には、図３の２点鎖線で示すように、第１操作部４２ｉが手前側に振れる。この場合には、ボールチェーン４２が第１導入出部４１に入る際、ボール部４２ｂの上部は案内部材３７の上端部３７ｕに衝突し、衝突音が発生する。この衝突により第１操作部４２ｉは図３の左右に揺れ動く。したがって、周期的に上記した第１操作部４２ｉが手前側に振れた状態となる。これにより、上記と同様にボール部４２ｂと案内部材３７の上端部３７ｕが衝突するため、周期的に衝突音が発生する。またこのとき、第２導入出部４３付近においては、プーリ３８に噛み合うボール部４２ｂはスロープ部５１に衝突した後、摺動されることによって手前側に案内される。この衝突により衝突音が発生する。また前述と同様に、第２操作部４２ｎが早い速度で下方に操作されると、プーリ３８に噛み合っていたボールチェーン４２のボール部４２ｂが遠心力によりプーリ３８の径方向にわずかに変位する。これによって、ボール部４２ｂは案内部材３７の内周面に衝突し、衝突音が発生する。これらの衝突音が複合して第２操作部４２ｎの操作時における、ブラインド操作装置３０の操作ノイズとなる。
【００３１】
ここで、前述したように案内部材３７には一定間隔をおいて複数のスリット５２が形成されていて、案内部材３７は変形しやすい状態にある。このため、上述したいずれの衝突の場合にも、ボール部４２ｂの衝突力は案内部材３７が変形することにより緩和される。したがって、ボール部４２ｂと案内部材３７との衝突音などにより発生するブラインド操作装置３０の操作ノイズが低減される。
【００３２】
以上、説明した実施形態によれば、以下の作用効果を奏することができる。
（１）案内部材３７にはプーリ３８の回転軸方向へ延びる複数のスリット５２がプーリ３８の回転方向に一定間隔を有して形成されている。このスリット５２を形成することにより、案内部材３７は変形しやすくなる。ボールチェーン４２の操作時にボール部４２ｂが案内部材３７に衝突した場合には、この衝突力により案内部材３７の各分割片が外方へわずかに弾性変形する。これによりボールチェーン４２の案内部材３７への衝突力が緩和され、衝突により発生する操作ノイズを低減することが可能となる。ここで、同じく操作ノイズを低減するために、案内部材３７において、ボールチェーン４２との接触及び衝突する箇所に例えばゴム等からなる別体の緩衝材を設けることも考えられる。しかし、緩衝材には繰り返しボールチェーン４２が衝突すること等により劣化が生じ易い。これに比べ本実施形態においては、案内部材３７は緩衝材としての役割も果たしつつも、ナイロン等の合成樹脂で形成されるため劣化が生じにくく、耐久性が高い。また、摺動抵抗も少なくボールチェーン４２の円滑な操作も維持される。
【００３３】
（２）ボールチェーン４２はスロープ部５１に衝突及び摺動することにより手前方向に案内される。すなわち、案内部材３７においてスロープ部５１はボールチェーン４２が衝突する頻度が高い。そのスロープ部５１にスリット５２を形成し変形しやすくすることで、スロープ部５１への衝突力が緩和される。これにより、スロープ部５１への衝突により発生する操作ノイズを低減することが可能となる。
【００３４】
（３）第１操作部４２ｉが手前側に引かれて傾斜した状態で下方に操作された場合には、これが第１導入出部４１から出る際、ボール部４２ｂの上部は案内部材３７の上端部３７ｕに衝突し、衝突音が発生する。さらに、第１作部４２ｉを僅かに下方に操作して、ストッパー装置２０が昇降コード１８の昇降を許可した状態において、ボールチェーンから手を離すと、第１操作部４２ｉは第１導入出部４１に引き込まれる。このとき、例えば第１操作部４２ｉに操作者の手が触れた場合には、第１操作部４２ｉが手前側に振れる。この場合には、ボールチェーン４２が第１導入出部４１に入る際、ボール部４２ｂの上部は案内部材３７の上端部３７ｕに衝突し、衝突音が発生する。この衝突により第１操作部４２ｉは揺れ動き、周期的に上記した第１操作部４２ｉが手前側に振れた状態となる。すなわち、周期的にボール部４２ｂと案内部材３７の上端部３７ｕとは衝突し衝突音が発生する。
【００３５】
このように案内部材３７の上端部３７ｕはボールチェーン４２が衝突する頻度が高い。その上端部３７ｕについてもスリット５２を形成し変形しやすくすることで、同上端部３７ｕへの衝突力が緩和される。これにより、上端部３７ｕへの衝突により発生する操作ノイズを低減することが可能となる。
【００３６】
（４）第２ケース３６の案内部材３７の全周すなわち案内部材３７の上端部３７ｕとスロープ部５１との間にもスリット５２が形成されている。したがって、ボールチェーン４２が操作されたとき、そのボール部４２ｂが遠心力により案内部材３７の内周面へ衝突する衝突力を緩和する。これにより、案内部材３７の上端部３７ｕとスロープ部５１との間への衝突により発生する操作ノイズを低減することが可能となる。
【００３７】
（第２の実施形態）
以下、本考案の第２の実施形態について、図５〜図９を参照して説明する。この実施形態においては、ケースの案内部材にスリットを形成した場合における、ブラインド操作装置の操作ノイズ（操作音）についての実験データを示す。この実験に使用したブラインド操作装置は第１の実施形態とほぼ同様である。そこで、ここでは本実施形態における第１の実施形態との相違点、及び実験条件について主に説明する。図５に示すように、各スリット５２は第1導入出部の端部1箇所と第2導入出部の端部の2箇所を除き３０°間隔で、且つ隣り合うスリット５２間に１ｍｍの隙間を持って形成されている。また、案内部材３７の厚さは１箇所を除き０．８ｍｍで形成されている。そして、第１の実施形態と異なり、案内部材３７の上端付近と、第２ケース３６の外形部６０とは別層で形成されている。このため、図６に示すように、第２ケース３６を手前方向から見たとき、案内部材３７の上端付近に形成されるスリット５２は外形部６０の内側となり外部に露出しない。
【００３８】
そして、このように形成される第２ケース３６を備えるブラインド操作装置６１（以下本願品という）を、図７に示すプリーツスクリーン６２に取り付けて、その操作ノイズの測定を行った。このプリーツスクリーン６２は幅１８００ｍｍ、高さ１８００ｍｍで形成される。測定器である騒音計（リオン製ＮＬ−３２）は、ブラインド操作装置６１の上部から下方に７０７ｍｍ、前方に７０７ｍｍ、すなわちブラインド操作装置６１の上部から直線距離において１０００ｍｍの位置、そして製品幅方向の中心に設置した。また、従来品についても同条件において、操作音の測定を行った。ここで、従来品とは、ケースはナイロンでなるとともに、案内部材３７にはスリット５２が形成されず、単一の円形板状で形成されている。また、案内部材３７の厚さも０．８ｍｍに比べて厚く形成されている。
【００３９】
次に本願品及び従来品の実験結果について、図８及び図９に示す。図８は、スクリーンを最下限から３００ｍｍまで上昇させた時に計測した操作音（正確には周波数及び音圧）、図９は、スクリーンを最上部より300ｍｍ下から最下部から300ｍｍ上まで下降させた時に計測した操作音（正確には周波数及び音圧）の値を示す。図８及び図９において、横軸は周波数、縦軸は音圧である。なお、周波数は大きくなるにつれて高音となり、また音圧は大きくなるにつれて強音となることが知られている。本願品における操作音は実線で、従来品の操作音は点線でその増減が示されている。
【００４０】
さて、図８及び図９に示されるように、スクリーンの上昇時、下降時いずれの場合においても、その高周波域において従来品に比して本願品の音圧は小さくなっている。具体的には、高周波域とは２．５ｋＨｚ〜１６ｋＨｚの範囲である。例えば８ｋＨｚにおいて、従来品に比べて本願品は図８に示した上昇時にあっては５．６ｄｂ、図９に示した下降時にあっては７．３ｄｂ、音圧を低減することができる。このことから、本願品によれば、操作者等に対して不快感を与える高周波域の操作音が低減されることがわかる。
【００４１】
以上、説明した実施形態によれば、第１の実施形態の（１）〜（４）の作用効果に加え以下の作用効果を奏することができる。
（１）案内部材３７にスリット５２が形成されることで、ブラインド操作装置６１において、高周波域の操作音を低減することができる。したがって、操作者に操作音による不快感を与えることを抑制できる。
【００４２】
なお、上記実施形態は、これを適宜変更した以下の形態にて実施することができる。
・上記構成においては、案内部材３７にスロープ部５１を設けて第２操作部４２ｎを手前側に案内することで同第２操作部４２ｎがスクリーン１４に干渉することを防止した。しかし、例えばブラインド操作装置３０がスクリーン１４の幅方向における外側に配置されるタイプのブラインドにおいては、両操作部４２ｉ，４２ｎがスクリーン１４の外側に隣接する。このため、スクリーン１４に両操作部４２ｉ，４２ｎが干渉するおそれはなく、スロープ部５１は省略可能である。この場合にはボールチェーン４２をスロープ部５１が案内することで発生する衝突音は発生しないものの、案内部材３７の他の部分（上端部３７ｕ、内周面）への衝突により発生する衝突音が抑制される。
【００４３】
・上記構成においては、スリット５２の数及び間隔は上記した実施形態１及び実施形態２に限定しない。すなわち、案内部材３７において、ボールチェーン４２との衝突が多い箇所、例えばスロープ部５１及び案内部材３７の上端部３７ｕの少なくとも一方にのみ集中して複数のスリット５２を設けてもよい。また、案内部材３７において、スロープ部５１及び案内部材３７の上端部３７ｕの少なくとも一方に形成するスリット５２の間隔を狭くしてもよい。
【００４４】
・上記構成においては、スリット５２はプーリ円周方向に一定幅をもって形成されていた。しかし、スリット５２の幅は適宜変更できる。例えば、単に切り込みを入れてスリット５２を形成しても、案内部材３７の変形は容易となるため衝突音の低減は達成できる。
【００４５】
・上記構成においては、ケース３２はナイロン樹脂により形成したが、例えば消音グレードのポリアセタール樹脂で形成してもよい。この場合には衝突音の低減効果がいっそう高められる。なお、ケース３２の案内部材３７のみを消音グレードのポリアセタール樹脂で形成しても同様の衝突音の低減効果が得られる。
【００４６】
・上記構成においては、プリーツスクリーンに本考案を具体化したが、他の種類のブラインド例えば、横型ブラインド、ロールスクリーン、バーチカルブラインド、ローマンシェードにも適用することができる。また、カーテンレール駆動装置や他の物品においてスプロケットによるチェーンの駆動力伝達方法にも適用できる。さらに、複層ガラスに内蔵されたブラインドの操作装置に本考案を適用してもよい。すなわち、部屋内側のガラス面に設けられるとともに、当該部屋側に導出口を介して導出されたチェーン操作を通じて回転するプーリの回転力を磁石の吸着力によりブラインドの駆動装置に伝達する操作装置において、前記チェーンの導出口にスリットを設けた案内部材を設け、これにより前記チェーンを案内するようにしても上記実施形態と同様に操作音の低減効果が得られる。また、モータにより駆動される一対のプーリにボールチェーンが巻き掛けられて構成され、前記モータの駆動を通じてカーテンを開閉させるカーテンレール駆動装置にも適用可能である。詳しくは、両プーリ間を回動する２本のボールチェーンはこれに沿うようにして設けられる案内部材によって、互いに近接させられている。当該案内部材にスリットを設けてチェーンを案内するようにしても上記実施形態と同様に操作音の低減効果が得られる。さらに、チェーンを引き出し可能に収納する柵柱にも適用できる。くわしくは、収容体としての柵柱はチェーンが収納される収納空間を有する。そして、当該柵柱には外部に開口したチェーン導出部分が形成され、当該チェーン導出部分の下方縁部には案内部材が設けられている。チェーンにおいて、常時前記収納空間に設けられる一端には引き込み手段としての錘が連結される。以上のように構成される柵柱は収納部分に保持されたチェーンがチェーン導出部分を介して案内部材に摺動しつつ引き出し操作がされる。同様にチェーンの引き込み操作は前記錘によってなされる。ここで、当該案内部材にスリットが形成されることでチェーンの案内部材に対する摺動音が低減され、ひいては引き込み及び引き出しに伴う操作音が低減される。
【図面の簡単な説明】
【００４７】
【図１】第１の実施形態におけるブラインドの正面図。
【図２】第１の実施形態におけるブラインド操作装置の分解斜視図。
【図３】図１のＡ−Ａ線断面図。
【図４】（ａ）は第２ケースの側面図、（ｂ）は第２ケースの斜視図。
【図５】第２の実施形態における第２ケースの正面図。
【図６】第２の実施形態における第２ケースの側面図。
【図７】騒音計の設置位置を示した概略図。
【図８】スクリーン上昇時の操作音を示したグラフ。
【図９】スクリーン下降時の操作音を示したグラフ。
【図１０】従来のブラインド操作装置の断面図。
【符号の説明】
【００４８】
１０…ブラインド、１４…スクリーン（遮蔽材）、３０…ブラインド操作装置（駆動力伝達装置）、３２…ケース、３４…第１ケース、３６…第２ケース、３７…案内部材、３８…プーリ（回転体）、４１…第１導入出部（上側導入出部）、４２…ボールチェーン、４３…第２導入出部（下側導入出部）、４２ｂ…ボール部、５１…スロープ部、５２…スリット。
【図１】
0003149165.tif 000003
【図２】
0003149165.tif 000004
【図３】
0003149165.tif 000005
【図４】
0003149165.tif 000006
【図５】
0003149165.tif 000007
【図６】
0003149165.tif 000008
【図７】
0003149165.tif 000009
【図８】
0003149165.tif 000010
【図９】
0003149165.tif 000011
【図１０】
0003149165.tif 000012